【手続補正書】
【提出日】平成15年6月30日(2003.6.30)
【手続補正１】
【補正対象書類名】明細書
【補正対象項目名】発明の名称
【補正方法】変更
【補正の内容】
【発明の名称】特に内装構法及び乾式構法で使用されるボード、及び特に部屋の新しい壁を作る方法、あるいは部屋の既にある表面にパネルを嵌める方法


【手続補正２】
【補正対象書類名】明細書
【補正対象項目名】特許請求の範囲
【補正方法】変更
【補正の内容】
【特許請求の範囲】
【請求項１】
特に内装構法、好ましくは部屋の新たな壁を作るため又は部屋の壁、天井又は屋根表面にパネルを嵌め、中間層及び少なくとも１つの上側層を具備する多層構造体を備え得るためのボード（１）であって、
少なくとも２つの対辺上に設けられ、特に同じ形式の更なるボード（１）に結合させる舌片及び溝（２、３）から構成される第１及び第２の結合手段であって、該結合手段（２、３）が同じ形式の隣接するボード（１）に錠止、スナップ嵌入又はクリック嵌入結合可能にする、前記第１及び第２の結合手段、及び
前記ボード（１）を支持構造体（１５）にしっかりと固定する、前記ボード（１）自身又は２つの互いに結合するボード（１）に設けた更なる留め手段（２０、２７、３８、４４）を、備えるボード（１）において、
前記結合手段（２、３）は、強制的な嵌め合いを構成しかつ前記ボードの材料から直に作り出され、多層構造体を構成する場合には、前記中間層及び／又は前記上側層の１つに形成されることを特徴とするボード。
【請求項２】
前記留め手段は、２つのボードが結合状態にある際に、２つの前記ボード（１）の結合領域にある少なくとも１つの凹所（３８、４４）によって構成され、そして前記凹所（３８、４４）内に、留めクリップ（１６）の一部（１９、１８）を受容することができることを特徴とする、請求項１に記載のボード。
【請求項３】
前記留め手段が、留めクリップ（１６）の一部（１９）を受容する少なくとも１つの溝（２０）を備えることを特徴とする、請求項１または請求項２に記載のボード。
【請求項４】
前記留め手段が、ねじ頭部又は釘頭部を受容する少なくとも１つの凹所（２７）を備えることを特徴とする、請求項１から請求項３までのいずれか１項に記載のボード。
【請求項５】
新たに設置した第２のボードが、第１の既に設置されたボード内で旋回し得るように、前記結合手段が構成されることを特徴とする、請求項１から請求項４までのいずれか１項に記載のボード。
【請求項６】
前記支持構造物（１５）の方へ面し、かつ前記ボードの可視面に隣接する前記溝（２）を境界付ける溝側材が、前記ボードの可視面に隣接する溝側材に対して突出することを特徴とする、請求項１から請求項５までのいずれか１項に記載のボード。
【請求項７】
２つの相互に結合されたボード（１）が、互いに平行に移動可能であるように、前記結合手段が前記第１及び第２辺上に構成されることを特徴とする、請求項１から請求項６までのいずれか１項に記載のボード。
【請求項８】
前記第１及び第２辺上の前記結合手段に加えて、前記ボードは、また、錠止、スナップ嵌入又はクリック嵌入結合のための前記第３及び第４辺上の結合手段を備える、請求項１から請求項７までのいずれか１項に記載のボード。
【請求項９】
前記第３及び第４辺上の前記結合手段が、舌及び溝の構成から成り、前記舌片は、前記結合状態で、６ｍｍ以下、好ましくは４ｍｍ以下、前記溝内に突出することを特徴とする、請求項８に記載のボード。
【請求項１０】
空洞（４８）が、結合手段として働く溝に隣接すること９を特徴とする、請求項１から請求項９までのいずれか１項に記載のボード。
【請求項１１】
少なくとも一方の側に結合手段として、前記ボードの表面の方向に開口する溝（２）が設けられ、反対側にはこれに応じて前記ボード（１）の背面の方向に延在する舌片（３）が設けられることを特徴とする、請求項１から請求項１０までのいずれか１項に記載のボード。
【請求項１２】
前記ボードの背面に少なくとも部分的に自己接着性層が設けられることを特徴とする、請求項１から請求項１１までのいずれか１項に記載のボード。
【請求項１３】
前記ボードが自身の背面に支持構造体を取り付ける適切なアダプターを備えることを特徴とする、請求項１から請求項１２までのいずれか１項に記載のボード。
【請求項１４】
前記ボードが、前記支持構造体の一部を受容する、例えば、フライス研削された切込み、あるいは少なくとも１つの穴のような、少なくとも１つの凹所を備えることを特徴とする、請求項１から請求項１３までのいずれか１項に記載のボード。
【請求項１５】
前記ボードが、少なくとも部分的に木製材料又はプラスチック、あるいは改良された前記材料から構成される、請求項１から請求項１４までのいずれか１項に記載のボード。
【請求項１６】
弾性密封材料が前記ボードを包囲する前記端縁の少なくとも一部に配置されることを特徴とする、請求項１から請求項１５までのいずれか１項に記載のボード。
【請求項１７】
前記ボードが部屋の内装表面として適した1つ又は２つの表面を備えるような、表面仕上げシェル又は間仕切り壁として該ボードが構成されることを特徴とする、請求項１から請求項１６までのいずれか１項に記載のボード。
【請求項１８】
前記ボードが中間層を備え、かつ錠止する前記結合手段（２、３）が前記中間層又は前記上側層の１つに形成されることを特徴とする、請求項１から請求項１７までのいずれか１項に記載のボード。
【請求項１９】
前記ボードの前面が、いかにも職人が作り出した壁外被らしい表面テクスチャを具備する表面を備え、該表面は特に壁紙又は石膏処理表面、あるいは塗装技術によって作り出した表面の突出部及び窪みを具備することを特徴とする、請求項１から請求項１８までのいずれか１項に記載のボード。
【請求項２０】
前記ボードが木材又はベニヤの外観、石、タイル貼り又は幻想的な装飾様式、あるいは職人が作り出した着色、特に不規則な着色で好ましくはラグ、スポンジ又はローラー技術で作り出した着色に対応する着色、あるいは該ボードが木製又は木製ベニヤから構成された層を備えることを特徴とする、請求項１から請求項１９までのいずれか１項に記載のボード。
【請求項２１】
前記表面テクスチャ及び、適用可能である場合には、着色が、前記ボードの全表面、好ましくは同じ形式の幾つかのボードの全表面に亘って不規則であることを特徴とする、請求項１から請求項２０までのいずれか１項に記載のボード。
【請求項２２】
前記ボードの前面に湿気に耐えることができる表面密封材が設けられることを特徴とする、請求項１から請求項２１までのいずれか１項に記載のボード。
【請求項２３】
前記ボードを包囲する前記端縁の少なくとも一部に弾性密封材料が配置されることを特徴とする、請求項１から請求項２２までのいずれか１項に記載のボード。
【請求項２４】
前記ボードを包囲する前記端縁の少なくとも一部に接着剤が配置されることを特徴とする、請求項１から請求項２３までのいずれか１項に記載のボード。
【請求項２５】
幾つかのボードの取付に際し、隣接するボードとの当接部を構成する、前記ボードの端縁の領域に糊受容チャネルが設けられることを特徴とする、請求項１から請求項２４までのいずれか１項に記載のボード。
【請求項２６】
少なくとも２つの反対側端縁に沿ってそれぞれの取り外し可能な保護帯片が設けられることを特徴とする、請求項１から請求項２５までのいずれか１項に記載のボード。
【請求項２７】
前記ボードが自身の背面に熱及び／又は音遮断材料及び／又は加熱又は空調装置、あるいは加熱又は空調構成要素層、特に加熱フィルムを備えることを特徴とする、請求項１から請求項２６までのいずれか１項に記載のボード。
【請求項２８】
特に部屋の新たな壁を作り出すか又は現存する壁、天井又は屋根表面にパネル嵌めをする方法であって、
最初に、第１ボード（１）が取り付けられ、次いで第２ボード（１）が前記第１ボード（１）に結合され、もって錠止、スナップ嵌入又はクリック嵌入結合がこれらの２つのボード（１）の隣接する側面端縁、特にこれらのボードの長手方向側面に作り出され、
次いで前記第２ボード（１）が付加的な留め手段によって固定される方法において、
前記第１及び前記第２ボード間の結合に関して、強制的な嵌め合いが形成され、かつこの嵌め合いのために設けた前記結合手段（２、３）が前記ボードの材料から直に形成されることを特徴とする方法。
【請求項２９】
錠止結合の形成において、前記第２ボード（１）が前記第１ボード（１）に斜めに加えられかつ旋回運動によって、該第１ボード（１）が位置する平面内に移動されることを特徴とする、請求項２８に記載の方法。
【請求項３０】
前記錠止結合の形成において、前記第２ボード（１）が、前記第１ボード（１）が位置する平面内で該第１ボード（１）に加えられ、かつ実質的に平らな摺動運動によってこれらの２つのボード（１）の隣接する側面端縁に結合が引き続いて形成されることを特徴とする、請求項２８に記載の方法。
【請求項３１】
留め手段として、少なくとも１つの留めクリップ（１６）及び少なくとも１つの溝（２０）が使用されて該留めクリップ（１６）の一部（１６）の一部（１９）を受容し、及び／又は幾つかのねじ又は釘、及び少なくとも１つの凹所（２７）が使用されて前記ねじの頭部又は釘の頭部を受容することを特徴とする、請求項２８から請求項３０までのいずれか１項に記載の方法。
【請求項３２】
第１及び第２ボードに引き続いて、第３ボードが前記第１及び第２ボードの両方に結合されるように該第３ボードが取り付けられ、錠止、スナップ嵌入又はクリック嵌入結合が形成されることを特徴とする、請求項２８から請求項３１までのいずれか１項に記載の方法。
【請求項３３】
前記第３ボードが旋回嵌入することによって前記第１ボードに結合されることを特徴とする、請求項３２に記載の方法。
【請求項３４】
前記第３ボードが、前記第２ボードに結合されるために、前記第１ボードとの結合端縁に平行に少なくとも僅か移動されることを特徴とする、請求項３２または請求項３３に記載の方法。
【請求項３５】
前記第３ボードが自身の表面に実質的に直角に行われる降下運動によって前記第２ボードに結合されることを特徴とする、請求項３２または請求項３３に記載の方法。
【手続補正３】
【補正対象書類名】明細書
【補正対象項目名】０００１
【補正方法】変更
【補正の内容】
【０００１】
【発明の属する技術分野】
本発明は、好ましくは部屋の新しい壁及び表面仕上シェルを作り出し、あるいは部屋の壁、天井又は屋根表面にパネルを嵌める(panelling)、特に内装構法及び乾式構法で使用するための、請求項１の前文による、ボード、及び、請求項２８の前文による、関連する方法に関する。


【手続補正４】
【補正対象書類名】明細書
【補正対象項目名】０００９
【補正方法】変更
【補正の内容】
【０００９】
類似の形状構成は、少なくともその表面が金属から成るパネルのための特許第１１３５０７０６号明細書から周知である。
請求項１の前文によるボードは、米国特許第４  ２９９  ０７０号明細書から周知である。このボードは、実質的な中空ボードとして押し出し成形によって形成されている。このボードには、舌片及び溝の形態をした結合手段が設けられている。２つの溝側面上に形成された突出部が係合する、２つの切下げ(undercut)が舌片上に設けられている。突出部は切下げを相補する形態をしている。ボード材料とは別個の密封材料が結合手段を押圧して互いに係合させる。
請求項２８の前文による方法は、独国特許第１９５  ０３  ９４８号公報から周知である。この場合、支持構造体に既にしっかりと固定されている第１ボードは、錠止結合によって第２ボードに結合される。第２ボードは、実質的に支持構造体にしっかりと固定される。２つのボード間の継ぎ目の変更を許容するために、錠止結合には継ぎ目間隙(joint clearance)が設けられる。
【手続補正５】
【補正対象書類名】明細書
【補正対象項目名】００１０
【補正方法】変更
【補正の内容】
【００１０】
【発明が解決しようとする課題】
本発明の目的は、新しい壁又はパネリング(panelling)を形成する目的のために、低資源出費で時間節約の視覚的に人を引き付ける態様で同じ型式の更なるボードに連結することができる、特に内装建築及び乾式構法で使用するためのボードを創出することである。更に、これにふさわしい方法が作り出される。


【手続補正６】
【補正対象書類名】明細書
【補正対象項目名】００３４
【補正方法】変更
【補正の内容】
【００３４】
２つのボードを確実に一緒に結合するために、結合は噛合い又は錠止態様で行われることは重要であるから、本発明によれば、対応する結合手段は、２つの互いに結合されるボード間で強制的な嵌め合いが形成されるように構成される。従って、２つの隣接するボードは、張力下で互いに支持し合う。そして、２つのボード間に魅力のない継ぎ目が形成される危険性はない。


【手続補正７】
【補正対象書類名】明細書
【補正対象項目名】００３８
【補正方法】変更
【補正の内容】
【００３８】
これは、そのような表面のテクスチャが、内装構法仕上作業のために上記ボード上に前もって設けられると有利であるからである。壁特に間仕切壁又は適切な外観を備えるパネルを創出するためには、幾つかのボードを互いに隣接するように単に取り付ける必要がある。後加工、特に充填、石膏細工又は紙貼りと塗装に関する動作の必要はない。内装構法仕上作業又は乾式構法における全体的な時間節約に帰着しかつ部屋を２〜３日早く占有することを可能にする、引用された６つの動作を分配することはできる。


【手続補正８】
【補正対象書類名】明細書
【補正対象項目名】００５８
【補正方法】変更
【補正の内容】
【００５８】
本発明による目的は、第２に、特に部屋の新しい壁を生産するために、あるいは部屋の既存の表面にパネルを嵌めるための請求項２８に記載された方法によって達成される。


【手続補正９】
【補正対象書類名】明細書
【補正対象項目名】００９０
【補正方法】変更
【補正の内容】
【００９０】
図４は、ボード１が噛合しないボードであり、この実施形態における２つのボード１は代わりに接着剤２１によって互いにしっかりと結合される。後者の接着剤は、ボード１の端部領域内まで延在し、かつ、例えば、前もって工場で塗布し得る。


【手続補正１０】
【補正対象書類名】明細書
【補正対象項目名】００９６
【補正方法】変更
【補正の内容】
【００９６】
図６及び図７に示すボードは、実質的に図４及び図５に示す実施形態に対応するが、これらの実施形態では、ボード１は、図１〜図７までに代表される実施形態の場合のように全体として極めて概略的な態様で示した、留めクリップ１６ではなく、ねじ２５によって支持構造体２５にしっかりと固定される。左に示すそれぞれのボード１は、各々が自身の溝２の背後に、正面に示すボード外周を越えて突出する溝リップ２６を備え、ねじ２５はこの溝リップ２６を貫通延在する。